(57)【要約】   【課題】草本類のみならず、中低木類を主体とした木本類の植栽を可能にする。  【解決手段】本発明に係る植生基盤構造１は、法面２に吹き付けられた木片コンクリート３と、該木片コンクリートに積層された植生基材４と、該植生基材の表面から水平に突出するように設置されその内部空間８に植生基材４が充填された植栽用収容体５とからなる。植栽用収容体５は、その内部空間８が木片コンクリート３を構成する木片６同士の間隙７に連通するように設置してあり、本実施形態では、２枚の三角形板からなる逆三角錐状に形成してある。ここで、植栽用収容体５は、植生基材４を内部空間に保持しつつ、内部の余剰水を排水できるようにメッシュの大きさが調整されてなる網目体で構成してあり、例えば金属製やプラスチック製の籠体で構成することができる。  【選択図】  図１
2005036553.tif 000002
【特許請求の範囲】
【請求項１】
法面に設けられた木片コンクリートと、該木片コンクリートに積層された植生基材とから構成してなる植生基盤構造であって、前記植生基材の表面から水平に突出するように所定の植栽用収容体を該植栽用収容体の内部空間が前記木片コンクリートを構成する木片同士の間隙に連通するように設置するとともに、該植栽用収容体の内部空間に前記植生基材を充填してなることを特徴とする植生基盤構造。
【請求項２】
前記植栽用収容体を、前記植生基材を保持しつつ、内部の余剰水を排水できるようにメッシュの大きさが調整されてなる網目体で構成した請求項１記載の植生基盤構造。
【請求項３】
前記植栽用収容体の内部空間又は前記木片コンクリート中に貯水部を設けた請求項１記載の植生基盤構造。
【請求項４】
法面に設けられた木片コンクリートと、該木片コンクリートに積層された植生基材とから構成してなる植生基盤構造であって、前記法面の所定位置にて植栽用棚部を設けてなることを特徴とする植生基盤構造。
【請求項５】
前記植栽用棚部を形成する木片コンクリート又は植生基材中に貯水部を設けた請求項４記載の植生基盤構造。
【発明の詳細な説明】
【技術分野】
【０００１】
本発明は、河川堤防や崖地等の法面を緑化するために使用される植生基盤構造に関する。
【背景技術】
【０００２】
造成地の盛土や切土、道路の盛土、河川堤防等に見られる傾斜地においては、適当な手段でこれを保護することにより、法面の侵食、剥離、落石等を未然に防止しなければならない。
【０００３】
法面保護の手段としては、コンクリートやモルタルの吹付けがその典型的な方法として知られているが、最近では、環境面に配慮すべく、緑化による法面保護を採用することが多くなってきた。
【０００４】
法面を緑化によって保護する方法としては、植物の種子、肥料、水、チップ材、粘着剤等を攪拌混合した水性スラリーからなる植生基材を法面に吹き付けるのが一般的であり、かかる方法によれば、法面への吹付け後、一定期間後に発芽した植物の根が植生基材内に拡がり、植物の生育が可能となる。
【特許文献１】特開２００３−０８２６７１号公報
【特許文献２】特開２００３−０７４０６５号公報
【特許文献３】特開２００３−０７０３５９号公報
【特許文献４】特開２００３−０２０６５２号公報
【発明の開示】
【発明が解決しようとする課題】
【０００５】
ここで、植物を植生基材で生育させるためには、一般的に２０ｃｍ程度の厚みが必要となるため、植生基材を吹き付けるにあたっては、該植生基材が吹付け後に法面から崩れ落ちることがないよう、繊維を混入させたり接着剤の添加量を多くしたりしていた。
【０００６】
しかしながら、植生基材を構成する有機物が生分解することが原因で、接着剤等による植生基材の一体化が徐々に弱くなり、自重で法面を滑り落ちてしまう。
【０００７】
これは、土の移動による根の定着の阻害と、植物の根による土の固定力低下とが相互作用的に悪循環を招き、降雨による流出等とも相まって、植生基材の厚みが薄くなり、結果として、植生基材の施工後、数年で植生が衰退する場合が少なくないという問題を生じていた。
【０００８】
そして、このような状況では、草本類（草本とは草と同義）による緑化であればともかく、木本類（草本に対する用語で、樹木を指す）は、中低木類でさえ植栽することは困難となる。
【課題を解決するための手段】
【０００９】
本発明は、上述した事情を考慮してなされたもので、草本類のみならず、中低木類を主体とした木本類の植栽が可能な植生基盤構造を提供することを目的とする。
【００１０】
上記目的を達成するため、本発明に係る植生基盤構造は請求項１に記載したように、法面に設けられた木片コンクリートと、該木片コンクリートに積層された植生基材とから構成してなる植生基盤構造であって、前記植生基材の表面から水平に突出するように所定の植栽用収容体を該植栽用収容体の内部空間が前記木片コンクリートを構成する木片同士の間隙に連通するように設置するとともに、該植栽用収容体の内部空間に前記植生基材を充填してなるものである。
【００１１】
また、本発明に係る植生基盤構造は、前記植栽用収容体を、前記植生基材を保持しつつ、内部の余剰水を排水できるようにメッシュの大きさが調整されてなる網目体で構成したものである。
【００１２】
また、本発明に係る植生基盤構造は、前記植栽用収容体の内部空間又は前記木片コンクリート中に貯水部を設けたものである。
【００１３】
また、本発明に係る植生基盤構造は、法面に設けられた木片コンクリートと、該木片コンクリートに積層された植生基材とから構成してなる植生基盤構造であって、前記法面の所定位置にて植栽用棚部を設けてなるものである。
【００１４】
また、本発明に係る植生基盤構造は、前記植栽用棚部を形成する木片コンクリート又は植生基材中に貯水部を設けたものである。
【００１５】
本発明に係る植生基盤構造においては、法面に木片コンクリートを設けるとともに、該木片コンクリートに植生基材を吹き付けて積層することで、木片コンクリート及び植生基材の二重層を法面に形成するが、かかる構成に加えて、植生基材の表面から水平に突出するように所定の植栽用収容体を設置してなる。
【００１６】
ここで、植栽用収容体はその内部空間に植生基材を充填してあるとともに、その内部空間が木片コンクリートを構成する木片同士の間隙に連通するように設置してある。
【００１７】
このようにすると、植栽用収容体に植えた苗木は、該植栽用収容体の内部空間にとどまることなく、該内部空間から木片コンクリート内の木片同士の間隙内へとその根を伸張させていく。
【００１８】
そのため、植物は、その根の伸張を阻害されることなく、良好に生育する。また、植栽用収容体を設置していない箇所においても、通常の草本類は、その根を木片コンクリート内の木片同士の間隙内まで同様に伸張させていくこととなり、やはり草本類を良好に生育させることが可能となる。
【００１９】
ちなみに、従来の植栽ポットは、その内部空間が外部と隔てられており、根の伸張は該内部空間に限られる。そのため、従来の植栽ポットでは、成長させる程度に限界があるのみならず、そもそも植栽可能な植物には制約があり、木本類に関しては、低木といえども植栽困難である。
【００２０】
すなわち、従来技術と本願発明との違いは、植物がその生長に応じて良好に根を伸張させることができるかどうかという点にあり、本願発明によれば、植栽用収容体の内部空間が木片コンクリートを構成する木片同士の間隙に連通するように構成してあるため、植物は、その樹種に応じて自由に根を伸張させ、かくして木本類でも生育させることができるという顕著な作用効果を奏するものである。
【００２１】
植栽用収容体は、内部空間を有しかつ該内部空間に植生基材を充填できるものであれば、その形状や材質は問わないが、植生された苗木の根腐れが懸念される場合においては、前記植生基材を保持しつつ、内部の余剰水を排水できるようにメッシュの大きさが調整されてなる網目体で構成すればよい。
【００２２】
網目体は、例えば金属製やプラスチック製の籠体で構成することができる。
【００２３】
その反面、植栽用収容体の内部空間に充填された植生基材が乾燥し、植物が衰退するおそれがある場合においては、該植栽用収容体の内部空間又は木片コンクリート中に貯水部を設けるようにすればよい。
【００２４】
かかる構成においては、貯水部に溜まった雨水を植物に安定供給することが可能となる。
【００２５】
また、別の発明に係る植生基盤構造は、法面に設けられた木片コンクリートと、該木片コンクリートに積層された植生基材とから構成してなる植生基盤構造であって、前記法面の所定位置にて植栽用棚部を設けてなり、かかる発明においても、植栽用棚部に植えた苗木は、木片コンクリート内の木片同士の間隙内へとその根を伸張させていく。
【００２６】
そのため、上述した発明と同様、植物は、その根の伸張を阻害されることなく、良好に生育する。また、植栽用棚部を形成していない箇所においても、通常の草本類は、その根を木片コンクリート内の木片同士の間隙内まで同様に伸張させていくこととなり、やはり草本類を良好に生育させることが可能となる。
【００２７】
植栽用棚部が乾燥し、植物が衰退するおそれがある場合においては、該植栽用棚部を形成する木片コンクリート又は植生基材中に貯水部を設けるようにすればよい。
【００２８】
かかる構成においては、上述した発明と同様、貯水部に溜まった雨水を植物に安定供給することが可能となる。
【００２９】
法面とは、主として造成地や崖地などの法面が該当するが、必ずしも土壌が露出している場合に限定されるものでもなく、既設の吹付けコンクリートが存在する場合や岩盤も含むものとする。
【００３０】
木片コンクリートは、多数の木片を該木片同士に間隙が生じるようにセメント含有物質で相互に固結させて構成してなるものであって、木片コンクリート板として工場製作されたものを現場に搬入し、これを法面に取り付けるようにしてもよいし、セメント含有物質と多数の木片とを含む混練物を法面に吹き付け、該木片同士の間に間隙が形成された状態にて木片が相互に固結されるように現場で形成してもよい。
【００３１】
セメント含有物質とは、具体的には、セメントと水との水和反応による固結作用が得られるものであれば、その形態は任意であり、セメント及び水からなるセメントミルク（セメントペースト）、セメント、水及び細骨材からなるフレッシュモルタル、又はセメント、水、細骨材及び粗骨材からなるフレッシュコンクリートのいずれでもかまわない。
【発明を実施するための最良の形態】
【００３２】
以下、本発明に係る植生基盤構造の実施の形態について、添付図面を参照して説明する。なお、従来技術と実質的に同一の部品等については同一の符号を付してその説明を省略する。
【００３３】
図１は、本実施形態に係る植生基盤構造を示した図である。同図(a)でわかるように、本実施形態に係る植生基盤構造１は、法面２に吹き付けられた木片コンクリート３と、該木片コンクリートに積層された植生基材４と、該植生基材の表面から水平に突出するように設置されその内部空間８に植生基材４が充填された植栽用収容体５とからなる。
【００３４】
木片コンクリート３は同図(b)に示すように、セメント含有物質であるセメントミルクと多数の木片６とを含む混練物を法面２の上に吹き付けてなり、木片６の間に間隙７が形成されるように該木片を相互に固結させてある。
【００３５】
混練物は、木片６とセメント含有物質としてのセメントミルクとを混合して構成してあり、セメントミルクが硬化した状態において、木片６同士の間に間隙７が形成された状態で該木片が相互に固結されるように、木片６及びセメントミルクの混合割合を設定する。
【００３６】
木片６は、例えば数ｃｍ角程度の多角形状や数ｃｍ長の針状をなすものを用いることができる。
【００３７】
植栽用収容体５は、その内部空間８が木片コンクリート３を構成する木片６同士の間隙７に連通するように設置してあり、本実施形態では図２に示すように、２枚の三角形板からなる逆三角錐状に形成してある。
【００３８】
ここで、植栽用収容体５は、植生基材４を内部空間に保持しつつ、内部の余剰水を排水できるようにメッシュの大きさが調整されてなる網目体で構成してあり、例えば金属製やプラスチック製の籠体で構成することができる。
【００３９】
メッシュの大きさは、吹き付けられた植生基材４が植栽用収容体５の内部空間８にとどまって充填されるよう、例えば植生基材４の中に含まれる土粒子あるいは土塊の大きさを考慮して適宜定める。
【００４０】
本実施形態に係る植生基盤構造１を構築するには、まず図２に示すように、法面２の上に必要に応じてラス（図示せず）を敷設するとともに、植栽用収容体５を法面２に取り付ける。
【００４１】
植栽用収容体５を法面２に取り付ける例としては、法面２に打ち込まれた３本のアンカーピン３１の先端に三角錐状の３つの頂点箇所をそれぞれ溶接、ボルト等によって固定すればよい。
【００４２】
次に同図に示すように、ラスの上からセメントミルクと多数の木片６とを含む混練物を吹き付け、その硬化を待って木片コンクリート３とする。
【００４３】
かかる混練物を吹き付けるにあたっては、木片６とセメントミルクとをそれぞれ必要な量だけ計量槽で計量し、これらをミキサーに投入して混合した後、例えばコンクリート吹付機を用いてその吹付けノズルから噴出するようにすればよい。
【００４４】
混練物は、セメントミルクを木片６の量に対して貧配合とし、ミキサー内で木片６の周囲にセメントミルクを付着させるように混合し、かかる状態で木片６を吹き付けるのが望ましい。
【００４５】
ここで、吹付け後のセメントの凝結硬化を促進すべく、例えばリグニンスルホン酸及びロダン化合物を主成分とする無塩化形の混和剤を添加するとともに、吹付け後における木片とセメントミルクとの材料分離を防止すべく、増粘剤を添加しておくのがよい。
【００４６】
増粘剤は例えば、セルロース系や、水溶性の合成樹脂エマルジョンを使用することが可能であり、該合成樹脂はさらに、ポリアクリル酸、アクリル酸エステル、スチレン・アクリル酸エステル、シリコーン・アクリル酸エステル、酢酸ビニル、エチレン酢酸ビニル系樹脂（ＥＶＡ）などを使用することができる。
【００４７】
特に、かかる増粘剤をエチレン酢酸ビニル系エマルジョンとした場合においては、セメント含有物質と木片との不分離性に優れるのみならず、エマルジョン化のプロセスにおいて、環境ホルモンに影響を及ぼす懸念があるフタル酸などの物質を添加物として用いないため、環境面でも優れる。また、セメント含有物質の水和反応を遅延させるタンニンが木片内に多く含まれていたとしても、エチレン酢酸ビニル系樹脂（ＥＶＡ）エマルジョンは、木片とセメント含有物質とを長時間分離させないため、木片同士は、それらの間に間隙が形成されるようにセメント含有物質を介して確実に固結される。
【００４８】
次に図３に示すように、植物の種子、肥料、水、チップ材、粘着剤等を攪拌混合した水性スラリーを木片コンクリート３に重ねて吹き付けることで該木片コンクリートの上に植生基材４を積層形成するとともに、植栽用収容体５の内部空間８にも上述した水性スラリーを投入して植生基材４とする。
【００４９】
なお、下地になっている木片コンクリート３の表面には、多数の木片６が突出することによる凹凸が全面に形成されているので、かかる木片が定着作用を発揮することとなる。そのため、植生基材４を吹き付ける前にラスを別途配置する必要はない。
【００５０】
ここで、木片コンクリート３は、木片６同士の間隙７に植物の根を伸張させながら、該木片に絡みつかせることでしっかりと植物を自立させる定着作用を有しており、同様の定着作用を有する植生基材４の代替材として機能する。そのため、植生基材４の厚みを例えば従来の厚み２０ｃｍの半分の１０ｃｍにし、残りの厚み分１０ｃｍを木片コンクリート３に代替させるようにすればよい。
【００５１】
次に、図４に示すように植栽用収容体５の内部空間８に充填された植生基材４に苗木４１を植える。
【００５２】
このようにすると、植栽用収容体５に植えた苗木４１は、該植栽用収容体の内部空間８にとどまることなく、該内部空間から木片コンクリート３内の木片６同士の間隙７内へとその根を伸張させていく。また、植栽用収容体５を設置していない箇所においても、通常の草本類は、その根を木片コンクリート３内の木片６同士の間隙７内まで同様に伸張させていく。
【００５３】
以上説明したように、本実施形態に係る植生基盤構造１によれば、植栽用収容体５に植えた苗木４１は、該植栽用収容体の内部空間８にとどまることなく、該内部空間から木片コンクリート３内の木片６同士の間隙７内へとその根を伸張させていくので、植物はその根の伸張を阻害されることなく、良好に生育することができる。通常の草本類も、その根を木片コンクリート３内の木片６同士の間隙７内まで同様に伸張させていくので、同様に草本類を良好に生育させることが可能となる。
【００５４】
また、本実施形態に係る植生基盤構造１によれば、植物の根が植栽用収容体５の内部空間から木片コンクリート３へと伸張し、該木片コンクリートを構成する木片６に絡みついて自立する。そのため、植栽用収容体５の内容量は、中低木類を植栽する場合であっても、それらの苗木を育てることができる程度の容量、例えば１０リットル程度で足りることとなり、従来の植栽ポットのように大容量・高強度である必要はなくなって軽量化が可能となり、かくしてクレーン等の重機を使用せずとも、作業員が手で持って法面に取り付けることが可能となる。
【００５５】
加えて、従来においては、植栽ポットの重量が大きいため、８分勾配程度が限界であってが、本実施形態では、植栽用収容体５の軽量化及びそれに充填される植生基材４の減容化により、少なくとも５分勾配程度の法面（斜面）まで法面緑化が可能となる。
【００５６】
また、本実施形態に係る植生基盤構造１によれば、植栽用収容体５を、植生基材４を保持しつつ、内部の余剰水を排水できるようにメッシュの大きさが調整されてなる網目体で構成したので、植生された苗木４１の根腐れを防止することが可能となる。
【００５７】
本実施形態では、植生された苗木４１の根腐れを防止すべく、植栽用収容体５を、植生基材４を保持しつつ、内部の余剰水を排水できるようにメッシュの大きさが調整されてなる網目体で構成したが、植栽用収容体は、要は排水機能を有するようにすればよいため、網目体のような透水性の植栽用収容体の内面に不織布等の透水性シートを貼り付ける構造としてもよい。
【００５８】
かかる構成においては、透水性の植栽用収容体は、植生基材の自重を支持し、該植生基材の排水性は透水性シートで担保するという役割分担を行うが行われることになる。
【００５９】
ここで、植物の根腐れを懸念する必要がないのであれば、植栽用収容体に透水性は不要であって必ずしも網目体で構成する必要はない。
【００６０】
その反面、植栽用収容体の内部空間に充填された植生基材が乾燥し、植物が衰退するおそれがある場合においては、該植栽用収容体の内部空間又は木片コンクリート中に貯水部を設けるようにすればよい。
【００６１】
図５は、かかる変形例を示したものであり、同図においては、木片コンクリート３内に箱状をなす貯水部５１を埋設してある。
【００６２】
かかる貯水部５１は、植栽用収容体５に溶接等で接合一体化しておき、該植栽用収容体５とともに設置するようにしてもよいし、法面２に単独で固定するようにしてもよい。
【００６３】
かかる構成においては、貯水部５１に溜まった雨水を苗木４１に安定供給することが可能となる。
【００６４】
また、本実施形態では、木片コンクリート３を現場吹付けで構成したが、これに代えて工場等で製作された板状の木片コンクリートを法面２に敷き並べるようにしてもかまわない。
【００６５】
また、本実施形態では、植栽用収容体５を取り付け、該植栽用収容体内に充填された植生基材４に苗木を植えるようにしたが、これに代えて、法面の所定位置に木片コンクリートを多めに吹き付けて植栽用棚部とし、該植栽用棚部に植物の苗木を受けるようにしてもかまわない。
【００６６】
図６は、変形例に係る植栽基盤構造６１を示した断面図である。同図に係る植栽基盤構造６１は、法面２に設けられた木片コンクリート３と、該木片コンクリートに積層された植生基材４とから構成してなり、法面２の所定位置にて木片コンクリート３の吹付け厚みを大きくすることにより植栽用棚部６２を設けてなる。
【００６７】
かかる構成においても、植栽用棚部６２に植えた苗木４１は、木片コンクリート３内の木片６同士の間隙７内へとその根を伸張させていく。
【００６８】
そのため、上述した実施形態と同様、植物は、その根の伸張を阻害されることなく、良好に生育する。また、植栽用棚部６２を形成していない箇所においても、通常の草本類は、その根を木片コンクリート３内の木片６同士の間隙７内まで同様に伸張させていくこととなり、やはり草本類を良好に生育させることが可能となる。
【００６９】
なお、植栽用棚部が乾燥し、植物が衰退するおそれがある場合においては、上述の変形例と同様の貯水部５１を、植栽用棚部６２を形成する木片コンクリート３又は植生基材４中に設けるようにすればよい。
【図面の簡単な説明】
【００７０】
【図１】本実施形態に係る植生基盤構造を示した断面図。
【図２】本実施形態に係る植生基盤構造を構築する手順を示した斜視図。
【図３】同じく植生基盤構造を構築する手順を示した斜視図。
【図４】同じく植生基盤構造を構築する手順を示した斜視図。
【図５】変形例に係る植生基盤構造を示した断面図。
【図６】別の変形例に係る植生基盤構造を示した断面図。
【符号の説明】
【００７１】
１                            植生基盤構造
２                            法面
３                            木片コンクリート
４                            植生基材
５                            植栽用収容体
６                            木片
８                            内部空間
５１                          貯水部
６２                          植栽用棚部
【図１】
2005036553.tif 000003
【図２】
2005036553.tif 000004
【図３】
2005036553.tif 000005
【図４】
2005036553.tif 000006
【図５】
2005036553.tif 000007
【図６】
2005036553.tif 000008